(57)【特許請求の範囲】
【請求項１】
通信回線を経由して送信される曲データを受信する曲データ受信手段と、
該曲データ受信手段により受信された曲データを記憶する曲データ記憶手段と、
前記曲データを使用してカラオケ演奏を実行する演奏手段と、
前記曲データ記憶手段に記憶されている曲データ中で入力手段により指定された曲又は予め設定された停止条件に該当する曲の曲データを前記演奏手段が使用できない使用停止状態とする使用停止手段とを備えるカラオケ装置と、
前記通信回線を経由して前記カラオケ装置に前記曲データを送信する曲データ送信手段と、
該曲データの送信実績に基づいて曲データ料を算出する料金算出手段とを有するホストとを備えるカラオケ通信システムにおいて、
前記使用停止状態とされた前記曲データに対応する停止曲リストを前記ホストに通知する通知手段を前記カラオケ装置に設けると共に、
前記料金算出手段は前記停止曲リストと予め設定された割引条件とに応じて算出される割引額を前記曲データ料から減額する構成である
ことを特徴とするカラオケ通信システム。
【発明の詳細な説明】
【０００１】
【産業上の利用分野】
本発明は、カラオケ通信システムに関する。
【０００２】
【従来の技術】
従来、カラオケ装置には、例えばハードディスク等の記憶手段に記憶されている曲データを使用してカラオケ演奏を行うものがある。また、通信回線を経由してホストから送信される曲データをハードディスク等に追加記憶するものもある。
【０００３】
このハードディスク等に記憶される曲データについては、曲データの提供者側へのデータ使用料の支払いを要求されるのが普通である。このデータ使用料は、例えばハードディスク等の記憶手段に記憶されている分に対して一括で支払われたり、通信によって曲データを得る毎に支払われたりする。また、一旦データ使用料を支払えばその後何回使用したとしても追加料金を支払う必要はなかった。
【０００４】
【発明が解決しようとする課題】
しかしながら、多数の曲データの中にはほとんど使用されないものもあり、カラオケ装置の所有者側としてはほとんど使わないに曲データであっても使用料を支払わねばならないというやや不利な面もあった。
【０００５】
本発明は、このような問題点を解決するためになされたものであり、ほとんど使用されない等の理由でカラオケ装置の所有者側で不要と判断される曲データの使用料の減額あるいは免除を図れるカラオケ装置およびそのためのカラオケ通信システムを提供することを目的としている。
【０００６】
【課題を解決するための手段】
上記課題を解決するための手段として、請求項１記載のカラオケ通信システムは、
通信回線を経由して送信される曲データを受信する曲データ受信手段と、
該曲データ受信手段により受信された曲データを記憶する曲データ記憶手段と、
前記曲データを使用してカラオケ演奏を実行する演奏手段と、
前記曲データ記憶手段に記憶されている曲データ中で入力手段により指定された曲又は予め設定された停止条件に該当する曲の曲データを前記演奏手段が使用できない使用停止状態とする使用停止手段とを備えるカラオケ装置と、
前記通信回線を経由して前記カラオケ装置に前記曲データを送信する曲データ送信手段と、
該曲データの送信実績に基づいて曲データ料を算出する料金算出手段とを有するホストとを備えるカラオケ通信システムにおいて、
前記使用停止状態とされた前記曲データに対応する停止曲リストを前記ホストに通知する通知手段を前記カラオケ装置に設けると共に、
前記料金算出手段は前記停止曲リストと予め設定された割引条件とに応じて算出される割引額を前記曲データ料から減額する構成である
ことを特徴とする。
【０００７】
【０００８】
【０００９】
【００１０】
【作用】
上記の構成になる請求項１記載のカラオケ通信システムにおいては、曲データ受信手段が通信回線を経由して送信される曲データを受信し、曲データ記憶手段は曲データ受信手段により受信された曲データを記憶し、演奏手段は、その曲データを使用してカラオケ演奏を実行する。
【００１１】
使用停止手段は、曲データ記憶手段に記憶されている曲データ中で入力手段により指定された曲又は予め設定された停止条件に該当する曲の曲データを演奏手段が使用できない使用停止状態とする。
一方、ホストの曲データ送信手段は、通信回線を経由してカラオケ装置に曲データを送信し、料金算出手段曲データの送信実績に基づいて曲データ料を算出する。カラオケ装置に設けられた通知手段が、使用停止状態とされた曲データに対応する停止曲リストをホストに通知すると、料金算出手段は、停止曲リストと予め設定された割引条件とに応じて算出される割引額を曲データ料から減額する。
ホストの設置者（曲データの提供者）が、料金算出手段により算出された金額をカラオケ装置の所有者に請求すれば、ホストの設置者は使用停止状態とされた曲データの割引分が反映された料金を得て、カラオケ装置の所有者は使用しない曲データの使用料を還元してもらったのと同等になる。カラオケ装置の所有者側が、そのための特別な手続等をする必要もない。
なお、割引条件に応じての割引額の算出は、ホスト側で実行しても、カラオケ装置側で実行して例えば停止曲リストと併せてホストに通知してもよい。
【００１２】
なお、使用停止状態とは、曲データを曲データ記憶手段の記憶から抹消することも含んでいる。また、カラオケ装置に提供される曲データが、例えばスクランブル処理を施されていて、そのままでは使用できない状態とされている場合などにおいて、このスクランブル等を解除しないことも使用停止状態に含まれる。したがって、使用停止手段は、積極的に使用停止状態とする場合（例：記憶から抹消する、曲データ記憶手段から読み出しできない状態にする）と消極的に使用停止状態とする場合（例：スクランブル等を解除しない）とがある。
【００１３】
曲データを使用停止状態とするために、曲データを曲データ記憶手段の記憶から抹消する構成にすれば、曲データ記憶手段の記憶容量を有効に使用することが可能となり、記憶容量が限界に達することを回避できる。
【００１４】
また、カラオケ装置に、曲データ毎の演奏手段による演奏実績を記憶する演奏実績記憶手段と、その演奏実績を外部出力する演奏実績出力手段とを設けて、演奏実績を例えば画面表示や印刷出力させれば、カラオケ装置の所有者側は、ある期間内でまったく使用されなかった曲等の使用頻度が低い曲を簡単に捜し出すことができる。これに基づいて入力手段を操作してそのような曲データを指定すれば、使用頻度が低い曲を適切に使用停止状態とできる。
【００１５】
予め設定された停止条件に該当する曲データを使用停止状態とする場合の停止条件としては、１ヶ月間に１回も使用されない、６ヶ月間の使用回数が３回以下等、期間と使用回数とによる設定が例示される。
【００１６】
停止条件に該当する曲データがあれば、使用停止手段が、その曲データを使用停止状態とするので、カラオケ装置の所有者や管理者が特別な操作をする必要はない。
【００１７】
【００１８】
【００１９】
【００２０】
【実施例】
次に、本発明の一実施例を図面を参照して説明する。
まず本実施例のカラオケ通信システムの構成について説明する。ここで参照される図１は、本実施例のカラオケ通信システムの構成を示すブロック図、図２はカラオケ通信システムのホストおよび監視端末の斜視図、図３はカラオケ通信システムのカラオケ装置の斜視図、図４はカラオケ装置のコマンダの拡大斜視図である。
【００２１】
図１に示すように、本カラオケ通信システムは、ホスト１と複数のカラオケ装置３とが通信回線５を介して接続されて構成されている。なお、カラオケ装置３は１台のみを図示するが実際には多数ある。また、ホスト１には監視端末７が接続されている。
【００２２】
ホスト１は、制御手段としてのコンピュータ１１、記憶手段としてのデータベース１２および通信手段であり曲データ送信手段としての通信制御装置１３を備えており、データベース１２および通信制御装置１３はコンピュータ１１に接続されている。さらに、通信制御装置１３は通信回線５を介してカラオケ装置３に接続されている。
【００２３】
コンピュータ１１は、周知のＣＰＵ、ＲＯＭ、ＲＡＭ等（いずれも図示略）を備えており、ホスト１の制御手段として機能する他に料金算出手段としても機能する。
データベース１２は、コンピュータ１１が作動するための各種制御プログラム、コンピュータ１１の演算処理に使用される各種のテーブル、カラオケ装置３に配信するための曲データ、各カラオケ装置３を識別するためにカラオケ装置３毎に設定されているパスワード、各カラオケ装置のシリアルナンバー、各カラオケ装置３の所有者名と住所、カラオケ装置３毎の曲データの配信記録、カラオケ装置３毎の曲データの削除通知の記録、各カラオケ装置３の所有者に対して請求すべきデータ使用料を始めとしてコンピュータ１１により算出される各種のデータ等を記憶するためのものである。
【００２４】
通信制御装置１３は、通信回線５を介して接続されているカラオケ装置３に各種のデータやコマンド等を送信し、またカラオケ装置３から送られてくる各種のデータ等を受信するためのものであり、曲データ送信手段に相当している。
【００２５】
図２に示すようにホスト１は箱状の外殻１ａを備えている。また、監視端末７は、マイクロコンピュータ（マイコン）２１、キーボード２２、ＣＲＴ２３を備えており、図示は省略しているがプリンタ等も備えている。
監視端末７は、ホスト１に（正確にはコンピュータ１１に）各種の指令を入力することができ、例えばデータベース１２に記憶された各カラオケ装置３毎の曲データの配信記録等、各種のデータを監視端末７のマイクロコンピュータ２１に転送させることや監視端末７からホスト１にさまざまなデータを入力することができる。また監視端末７のマイクロコンピュータ２１は、ホスト１から取得したデータ類をＣＲＴ２３に表示させたりプリンタによって印刷させたりすることができる。
【００２６】
図１および図３に示すように、カラオケ装置３は、カラオケ装置３の中核となるコマンダ３１、音量増幅用アンプ３２、表示手段としてのＣＲＴ３３、マイクロホン３４、スピーカ３５等を備えている。
図４に示すように、コマンダ３１の前面には、０〜９の数字ボタン、Ａ〜Ｆのアルファベットボタン、曲選択ボタン、訂正ボタン、演奏開始または演奏停止を指示するための演奏／停止ボタンからなり、利用者がカラオケ曲のリクエスト等を入力するための入力手段としてのプッシュボタン３６とプッシュボタン３６を介して入力された内容等を表示する７ｓｅｇＬＥＤ３７とが設けられている。また、コマンダ３１の背面には、音量増幅用アンプ３２を接続するための音声出力端子３９、通信回線５に接続されるモジュラー端子４０、ＣＲＴ３３を接続するための映像出力端子４１等が設けられている。
【００２７】
図１に示すように、コマンダ３１には、制御手段であり本発明の演奏手段、指定手段および使用停止手段としても機能するＣＰＵ４２が備えられている。このＣＰＵ４２には、前述のプッシュボタン３６、７ｓｅｇＬＥＤ３７が接続されている他、ＣＰＵ４２と共働して演奏手段として機能する音楽演奏回路４３を介して音声出力端子３９が、通信手段であり曲データ受信手段および通知手段に相当する通信制御装置４５を介してモジュラー端子４０が、演奏実績出力手段に相当する映像処理回路４７を介して映像出力端子４１が接続されている。なお、モジュラー端子４０は通信回線５に接続されている。
【００２８】
また、ＣＰＵ４２には、本発明の曲データ記憶手段並びに使用停止手段に相当するハードディスクメモリ（ＨＤＤ）４９が接続されている。ハードディスクメモリ４９は、ＣＰＵ４２の動作プログラム４９ａ、曲データ４９ｂ、カラオケ装置３の演奏実績４９ｃ、ホスト１との通信に当たってカラオケ装置３を識別するためのパスワード、ＣＰＵ４２の演算処理に使用される各種のテーブルやデータ等を記憶するためのものである。
【００２９】
ハードディスクメモリ４９には予め数千曲程度の曲データが記憶されており、この曲データはホスト１から新譜の曲データ（以下、新曲データともいう）を受信する毎に更新される。１曲分の曲データは、曲同士を識別するための識別情報である曲コードおよび曲名データと、実体情報とから構成されている。この内の実体情報は、伴奏音楽の情報であるＭＩＤＩ（Musical Instrument Digital Interface）規格の演奏データ、歌詞を符号化した字幕表示用の歌詞データからなっている。なお、本実施例ではそのように構成されていないが、実体情報には背景画表示用の背景映像データが含まれることもある。
【００３０】
ホスト１とカラオケ装置３との間での新曲データの送受について簡単に説明する。まずカラオケ装置３がホスト１に対して発呼し、ホスト１への着呼を待ってパスワードを送信する。ホスト１では通信制御装置１３を介してこれを受け取り、コンピュータ１１がパスワードで端末照合を行い、ホスト１に登録されているカラオケ装置３であれば、照合正常を返送する。
【００３１】
カラオケ装置３は、この照合正常を受信してホスト１が受付可能状態となると、新曲データの有無を問い合わせる。ホスト１では、この問い合わせを受け付け、カラオケ装置３からの最新の曲データ情報若しくは各カラオケ装置３毎に作成されている曲データ送付済みテーブル等を参照して新曲データを検索し、新曲データが有るか無いかを示す回答をカラオケ装置３に送信する。
【００３２】
カラオケ装置３は、この回答結果に基づいて新曲データが有るか無いか判断し、新曲データが有る場合には、ホスト１に新曲データの送信を要求し、その要求に応じてホスト１から送信されてくる新曲データを受信する。カラオケ装置３は、この通信回線５を介して送信されてきた新曲データを受信し、ハードディスクメモリ４９内に記憶する。
【００３３】
カラオケ装置３は、新曲データの受信・記憶が完了すると、ホスト１との通信を終了する。また、上述の新曲データの有無の問い合わせに対して新曲データなしが回答された場合にも、カラオケ装置３は、ホスト１との通信を終了する。
なお、この新曲データ有無を問い合わせるタイミングは、例えば電源投入時や、１週間に１度の割合、１月に１度の割合等色々考えられる。また、この問い合わせ時に、カラオケ装置３で持っている最新の曲データ情報を付加して問い合わせてもよい。
【００３４】
ＣＰＵ４２は、このハードディスクメモリ４９から曲データを読み出して、その演奏データを音楽演奏回路４３に転送し、歌詞データを映像処理回路４７に転送できる。
音楽演奏回路４３は、演奏データに基づいてアナログの演奏信号を合成して音量増幅用アンプ３２に出力できる。音量増幅用アンプ３２は、演奏信号とマイクロホン３４を介して入力する利用者の歌声とを適度な割合でミキシングして増幅し、スピーカ３５に出力でき、スピーカ３５はこれを演奏音として外部出力できる。
【００３５】
また、歌詞データを転送される映像処理回路４７は、歌詞データから再生される字幕用信号を、図示しない映像ソース（ビデオディスクプレーヤ等）から送られてくる背景映像信号と合成（スーパーインポーズ）してＣＲＴ３３に出力し、背景映像に歌詞字幕が重ねられた映像として表示させることができる。
【００３６】
次に、この実施例のカラオケ通信システムの動作について説明する。ここで参照される図５はカラオケ装置３のＣＰＵ４２が実行する処理のフローチャート、図６はホスト１のコンピュータ１１が定期的に実行する請求額算出処理のフローチャートである。
【００３７】
まず図５に従って、カラオケ装置３の動作について説明する。
カラオケ装置３が起動されると、ＣＰＵ４２はプッシュボタン３６を介してコードが入力されるのを待つ（Ｓ１）。コード入力があれば（Ｓ１：ＹＥＳ）、ＣＰＵ４２は入力されたコードの種類を判定する（Ｓ２）。入力されたコードが曲コードであれば（Ｓ２：曲コード）、ＣＰＵ４２は、ハードディスクメモリ４９から入力された曲コードの曲データを検索する（Ｓ３）。続いて、ＣＰＵ４２はその曲データをハードディスクメモリ４９から読み出し、その演奏データを音楽演奏回路４３に転送し、歌詞データを映像処理回路４７に転送する（Ｓ４）。
【００３８】
音楽演奏回路４３は、演奏データに基づいてアナログの演奏信号を合成して音量増幅用アンプ３２に出力する。音量増幅用アンプ３２は、演奏信号とマイクロホン３４を介して入力する利用者の歌声とを適度な割合でミキシングして増幅し、スピーカ３５に出力し、スピーカ３５はこれを演奏音として外部出力する。また、歌詞データを転送される映像処理回路４７は、歌詞データから再生される字幕用信号を、図示しない映像ソース（ビデオディスクプレーヤ等）から送られてくる背景映像信号と合成（スーパーインポーズ）してＣＲＴ３３に出力する。ＣＲＴ３３は、背景映像に歌詞字幕が重ねられた映像として表示する。利用者は、歌詞字幕を見ながらカラオケを楽しむことができる。
【００３９】
その後、ＣＰＵ４２は、Ｓ４で読み出した曲データの曲コードをハードディスクメモリ４９に送って、演奏実績の更新を指示してＳ１に回帰する（Ｓ５）。ハードディスクメモリ４９はこの曲コードをその日の年月日とリンクさせて記憶して演奏実績の記録を更新する。
【００４０】
一方、入力されたコードの種類が演奏実績表示コードであれば（Ｓ２：演奏実績表示コード）、ＣＰＵ４２はハードディスクメモリ４９から演奏実績を読み出し、これを映像処理回路４７に転送してＣＲＴ３３に画面表示させる（Ｓ６）。  次に、ＣＰＵ４２は、プッシュボタン３６による入力があれば（Ｓ７：ＹＥＳ）、何を入力されたかを判定する（Ｓ８）。ここで演奏実績表示終了が入力されていれば（Ｓ８：演奏実績表示終了）ＣＰＵ４２はＳ１に回帰し、曲コードが入力されていれば（Ｓ８：曲コード）次のＳ９に移行する。
【００４１】
Ｓ９では、ＣＰＵ４２は入力された曲コードの曲データの削除をハードディスクメモリ４９に指示する。ハードディスクメモリ４９が指示された曲データを削除すると、この曲データを使用してのカラオケ演奏はできなくなる。
次に、ＣＰＵ４２は、ハードディスクメモリ４９に削除を指示した曲データの曲コードをホスト１に送信するための処理を実行する（Ｓ１０）。このＳ１０の処理は前述した新曲データの受信処理と同様に、ＣＰＵ４２が通信制御装置４５を通してホスト１に対して発呼し、ホスト１への着呼を待ってパスワードを送信する。ホスト１では通信制御装置１３を介してこれを受け取り、コンピュータ１１がパスワードで端末照合を行い、ホスト１に登録されているカラオケ装置３であれば、照合正常を返送する。カラオケ装置３のＣＰＵ４２は、この照合正常を受信してホスト１が受付可能状態となると、削除した曲データの曲コードをホスト１に送信する。ホスト１では、コンピュータ１１がこの曲コードを受信してデータベース１２に記憶させる。カラオケ装置３のＣＰＵ４２は、曲コードの送信が完了すると、ホスト１との通信を終了する。
【００４２】
なお、この説明で明らかなように、ここでカラオケ装置３からホスト１に送信される曲コードが停止曲リストに該当している。また、この曲コードの送信は、例えば１週間分や１ヶ月分をまとめて送信する構成としてもよい。
【００４３】
次に、ホスト１の動作について説明する。
ホスト１のコンピュータ１１は、例えば毎月一日になると図６に示される請求額算出処理を定期的に実行する。
図６に示すように、コンピュータ１１は請求額算出処理を開始すると、まずデータベース１２から１台のカラオケ装置３に関する配信記録を読み出す（Ｓ１１）続いて、コンピュータ１１は、読み出した配信記録に基づいて、前月１ヶ月間に該当のカラオケ装置３に配信した新曲データの使用料を算出する（Ｓ１２）。次に、コンピュータ１１は、このカラオケ装置３からの曲データの削除通知が前月にあれば（Ｓ１３：ＹＥＳ）、このカラオケ装置３からの曲データの削除通知の記録をデータベース１２から読み出し、同様にデータベースから読み出す割引テーブルに従って割引額を算出する（Ｓ１４）。この割引テーブルは、例えば新曲データの配信から３ヶ月以内の削除ならば曲データ使用料の５０％、１年以内なら３０％、２年以内なら５％等と割引率が規定されている。また、この実施例ではそのように構成されていないが、新曲データがスクランブル処理などを施されている場合には、新曲データを使用可能とするまでは１００％、使用可能とした日から起算して３ヶ月以内、１年以内等で割引率を設定することもできる。
【００４４】
コンピュータ１１は、カラオケ装置３からの曲データの削除通知が前月にはない場合（Ｓ１３：ＮＯ）またはＳ１４の処理の後、このカラオケ装置３の所有者に請求すべき金額を確定する。すなわち、曲データの削除通知に伴う割引があればその金額を新曲使用料から差し引いた額が請求額となり、割引がなければ新曲使用料が請求額となる。
【００４５】
さらに、コンピュータ１１は、この請求額算出処理の対象となるカラオケ装置３があれば（Ｓ１６：ＹＥＳ）、Ｓ１１に回帰して上述の処理を繰り返す。また、請求額算出処理の対象となるカラオケ装置３がなければ（Ｓ１６：ＮＯ）、コンピュータ１１は、この請求額算出処理を終了する。
【００４６】
以上のように、この実施例のカラオケ通信システムによれば、カラオケ装置３の所有者は、演奏実績表示に基づいて、例えばある期間内でまったく使用されなかった曲等の使用頻度が低い曲を簡単に捜し出すことができる。これに基づいてそのような曲データを指示すれば、使用頻度が低い曲データを適切に抹消できる。
【００４７】
また、カラオケ装置３が、抹消された曲データの曲コードをホスト１に通知すると、ホスト１のコンピュータ１１が予め設定された割引条件とに応じて算出される割引額を新曲曲データの使用料から減額した請求額を算出する。このため、ホストの設置者（曲データの提供者）が、この請求額をカラオケ装置３の所有者に請求すれば、カラオケ装置３の所有者は使用しない曲データの使用料を還元してもらったのと同等になる。カラオケ装置３の所有者側が、そのための特別な手続等をする必要はなくなる。
【００４８】
しかも、所望の曲データをハードディスクメモリ４９から抹消することができるので、ハードディスクメモリ４９の記憶容量を有効に使用することが可能となり、記憶容量が限界に達することを回避できる。
以上、実施例に従って、本発明について説明したが、本発明はこのような実施例に限定されるものではなく、本発明の要旨を逸脱しない範囲でさまざまに実施できることは言うまでもない。
【００４９】
例えば上記ホスト１から受信する新曲データを、そのままでは使用できないように例えばスクランブル処理を施しておき、曲データ使用するためのスクランブル解除キー等を送信する毎に使用料を計上する構成としてもよい。この場合に、日本電信電話(株)のビデオテックス通信網等のように、スクランブル解除キー等の情報を伝送する毎に送信先の電話回線の使用者に対して課金処理をし、例えば電話回線の使用料と併せて代理徴収することができる通信網を使用すれば、曲データ使用料の回収は確実かつ簡単である。
【００５０】
また、通常のカラオケ装置はプリンタを備えていないが、例えばファクシミリ装置をカラオケ装置に接続し、これをプリンタとして使用して演奏実績等を印刷することも可能である。
【００５１】
【発明の効果】
以上説明したように、請求項１記載のカラオケ通信システムによれば、曲データ記憶手段に記憶されている曲データ中の所望の曲又は停止条件に該当する曲の曲データを演奏手段が使用できない使用停止状態とできる。
【００５２】
【００５３】
【００５４】
【００５５】
そして、カラオケ装置に設けられた通知手段が、使用停止状態とされた曲データに対応する停止曲リストをホストに通知すると、料金算出手段は、停止曲リストと予め設定された割引条件とに応じて算出される割引額を曲データ料から減額する。このため、ホストの設置者（曲データの提供者）が、料金算出手段により算出された金額をカラオケ装置の所有者に請求すれば、ホストの設置者は使用停止状態とされた曲データの割引分が反映された料金を得て、カラオケ装置の所有者は使用しない曲データの使用料を還元してもらったのと同等になる。カラオケ装置の所有者側が、そのための特別な手続等をする必要もない。
【図面の簡単な説明】
【図１】  実施例のカラオケ通信システムの構成を示すブロック図である。
【図２】  実施例のカラオケ通信システムのホストおよび監視端末の斜視図である。
【図３】  実施例のカラオケ通信システムのカラオケ装置の斜視図である。
【図４】  実施例のカラオケ装置のコマンダの拡大斜視図であり、図４（ａ）は正面斜視図、図４（ｂ）は背面斜視図である。
【図５】  実施例のカラオケ装置のＣＰＵが実行する処理のフローチャートである。
【図６】  実施例のホストのコンピュータが定期的に実行する請求額算出処理のフローチャートである。
【符号の説明】
１・・・ホスト、
３・・・カラオケ装置、
５・・・通信回線、
１１・・・コンピュータ（料金算出手段）、
１２・・・データベース、
１３・・・通信制御装置（曲データ送信手段）、
３１・・・コマンダ、
３２・・・音量増幅用アンプ、
３６・・・プッシュボタン、
４２・・・ＣＰＵ（演奏手段、使用停止手段）、
４３・・・音楽演奏回路（演奏手段）、
４５・・・通信制御装置（曲データ受信手段、通知手段）、
４７・・・映像処理回路（演奏実績出力手段）、
４９・・・ハードディスクメモリ（曲データ記憶手段、使用停止手段）。
【図１】
0003637100.tif 000002
【図２】
0003637100.tif 000003
【図３】
0003637100.tif 000004
【図４】
0003637100.tif 000005
【図５】
0003637100.tif 000006
【図６】
0003637100.tif 000007